(57)【要約】【課題】柱部または小壁によって左右に分断される窓が、室内側から見て、一体の大開口の窓であるかのような印象をだせる内壁構造を提供する。【解決手段】この内壁構造は、窓１と窓２が柱部３によって左右に分断されている。そして、上記柱部３よりも室内１０側に突出する突出部位３１が当該柱部３の上部位置に設けられており、上記分断された左右の窓１、２の窓枠１１、２１の上側の室内露呈部分１１ａ、２１ａが上記突出部位３１によって視覚的に連続させられている。上記窓枠１１、２１は、上記窓１、２を支持する構造部分（サッシ枠等）と、室内１０側に位置する額縁部分（見切り材部分）とからなり、この額縁部分が上記室内露呈部分１１ａ、２１ａをなしている。【選択図】図１
2017186869.tif 000002
【特許請求の範囲】
【請求項１】
窓が柱部または小壁によって左右に分断される内壁構造において、上記柱部または小壁よりも室内側に突出する突出部位が当該柱部または小壁の上部位置に設けられており、上記分断された左右の窓の枠の上側の室内露呈部分が上記突出部位によって視覚的に連続させられたことを特徴とする内壁構造。
【請求項２】
請求項１に記載の内壁構造において、上記上側の室内露呈部分および上記突出部位が見切り部材により形成されていることを特徴とする内壁構造。
【請求項３】
請求項２に記載の内壁構造において、上記見切り部材の室内側の面は、上記両窓側から上記室内露呈部分にかけて面一となる面とされたことを特徴とする内壁構造。
【請求項４】
請求項１に記載の内壁構造において、上記柱部または小壁の上部および上記窓の上部にふかし壁が造られており、このふかし壁により上記上側の室内露呈部分および上記突出部位が形成されたことを特徴とする内壁構造。
【請求項５】
請求項４に記載の内壁構造において、上記ふかし壁の下面に、建具の移動を案内するレール部材が設けられていることを特徴とする内壁構造。
【請求項６】
請求項４に記載の内壁構造において、上記レール部材が上記分断された左右の窓間で連続するようにしたことを特徴とする内壁構造。
【請求項７】
請求項１に記載の内壁構造において、上記窓の枠の上方に第２の窓が設けられていることを特徴とする内壁構造。
【請求項８】
請求項７に記載の内壁構造において、上記第２の窓が上記柱部または上記小壁によって左右に分断されており、上記柱部または小壁よりも室内側に突出する第２の突出部位が上記突出部位よりも上側に設けられており、上記分断された左右の第２の窓の枠の下側の室内露呈部分が上記第２の突出部位によって視覚的に連続させられたことを特徴とする内壁構造。
【請求項９】
請求項７に記載の内壁構造において、上記分断された左右の第２の窓の枠の上側の室内露呈部分は、当該第２の窓の枠の横側の室内露呈部分よりも屋外側に位置していることを特徴とする内壁構造。
【請求項１０】
請求項７〜請求項９のいずれか１項に記載の内壁構造において、当該内壁構造を有する室内天井の模様が、上記第２の窓の屋外側に位置する庇の軒天板の模様と同一であることを特徴とする内壁構造。
【発明の詳細な説明】
【技術分野】
【０００１】
この発明は、窓が柱部または小壁によって左右に分断される内壁構造に関する。
【背景技術】
【０００２】
特許文献１には、上枠と下枠及び左右の縦枠とからなる枠体に、上框と下框及び左右の縦框とからなる框体にパネル体を納めてなる障子を納めたサッシにおいて、  上記框体の内周面は上記枠体の室内側内周縁と四周に渡って略同一平面内または見付方向外側に位置し、上記框体には内周面の室内側寄りに上記パネル体を納めるパネル挿入溝が形成されると共に、該パネル挿入溝より室外側に張り出した張出部が形成されたサッシが開示されている。
【先行技術文献】
【特許文献】
【０００３】
【特許文献１】特開２００７−１５４５８２号公報
【発明の概要】
【発明が解決しようとする課題】
【０００４】
ところで、図８に示すように、窓１１０１と窓１１０２が柱部１１０３によって左右に分断される内壁構造においては、室内側から見て、窓１１０１と窓１１０２を一体の大開口の窓であるかのように見せることは難しい。上記特許文献１の開示の技術を用いても、窓１１０１と窓１１０２を一体の大開口の窓のように見せることはできない。
【０００５】
この発明は、上記の事情に鑑み、柱部または小壁によって左右に分断される窓が、室内側から見て、一体の大開口の窓であるかのような印象を生じさせることができる内壁構造を提供することを課題とする。
【課題を解決するための手段】
【０００６】
この発明の内壁構造は、上記の課題を解決するために、窓が柱部または小壁によって左右に分断される内壁構造において、上記柱部または小壁よりも室内側に突出する突出部位が当該柱部または小壁の上部位置に設けられており、上記分断された左右の窓の枠の上側の室内露呈部分が上記突出部位によって視覚的に連続させられたことを特徴とする。
【０００７】
上記の構成であれば、上記分断された左右の窓の枠の上側の室内露呈部分が上記突出部位によって視覚的に連続させられたので、柱部または小壁によって左右に分断される窓が、室内側から見て、一体の大開口の窓であるかのような印象をだせるようになる。
【０００８】
上記上側の室内露呈部分および上記突出部位が見切り部材により形成されていてもよい。これによれば、左右に分断される窓が一体の大開口の窓であるかのような印象を安価にだせることになる。
【０００９】
上記見切り部材の室内側の面は、上記両窓側から上記室内露呈部分にかけて面一となる面とされていてもよい。これによれば、左右に分断される窓が一体の大開口の窓であるかのような印象をより出しやすいという利点がある。
【００１０】
上記柱部または小壁の上部および上記窓の上部にふかし壁が造られており、このふかし壁により上記上側の室内露呈部分および上記突出部位が形成されていてもよい。これによれば、柱部または小壁によって左右に分断される窓が、室内側から見て、一体の大開口の窓であるかのような印象を、一般的なふかし壁の技法を用いてだせるようになる。
【００１１】
上記ふかし壁の下面に、建具の移動を案内するレール部材が設けられていてもよい。また、上記レール部材が上記分断された左右の窓間で連続するようにしてもよい。
【００１２】
上記窓の枠の上方に第２の窓が設けられていてもよい。これによれば、上記窓と第２の窓とでより大開口の窓空間を形成することができる。
【００１３】
上記第２の窓が上記柱部または上記小壁によって左右に分断されており、上記柱部または小壁よりも室内側に突出する第２の突出部位が上記突出部位よりも上側に設けられており、上記分断された左右の第２の窓の枠の下側の室内露呈部分が上記第２の突出部位によって視覚的に連続させられていてもよい。これによれば、上記分断された左右の第２の窓の枠の下側の室内露呈部分が上記第２の突出部位によって視覚的に連続させられたので、柱部または小壁によって左右に分断される第２の窓が、室内側から見て、一体の大開口の窓であるかのような印象をだせるようになる。
【００１４】
上記分断された左右の第２の窓の枠の上側の室内露呈部分は、当該第２の窓の枠の横側の室内露呈部分よりも屋外側に位置していてもよい。これによれば、当該内壁構造を有する室内天井と、上記第２の窓の屋外側に位置する庇の軒天板との分断感が軽減され、大きな天井が存在するかのような印象をだせるようになる。
【００１５】
当該内壁構造を有する室内天井の模様が、上記第２の窓の屋外側に位置する庇の軒天板の模様と同一であってもよい。これによれば、天井から軒天板にかけて同一模様の大きな面が形成されることになり、大きな天井が存在するかのような印象をだせるようになる。
【発明の効果】
【００１６】
本発明であれば、柱部または小壁によって左右に分断される窓が、室内側から見て、一体の大開口の窓であるかのような印象をだせるという効果を奏する。
【図面の簡単な説明】
【００１７】
【図１】本発明の実施形態の内壁構造による室内を示した説明図である。
【図２】図１の実施形態の内壁構造を概略の横断面で示した説明図である。
【図３】図１の実施形態の内壁構造を概略の縦断面で示した説明図である。
【図４】本発明の他の実施形態の内壁構造による室内を示した説明図である。
【図５】図４の実施形態の内壁構造を概略の縦断面で示した説明図である。
【図６】本発明の他の実施形態の内壁構造による室内を示した説明図である。
【図７】図６の実施形態の内壁構造を概略の縦断面で示した説明図である。
【図８】従来の内壁構造による室内を示した説明図である。
【発明を実施するための形態】
【００１８】
以下、この発明の実施の形態を添付図面に基づいて説明する。
図１に示すように、この実施形態の内壁構造では、窓１と窓２が柱部３によって左右に分断されている。また、上記柱部３よりも室内１０側に突出する突出部位３１が、当該柱部３の上部位置に設けられている。
【００１９】
上記窓１、２の窓枠１１、２１は、当該窓１、２を支持する支持構造部分（サッシ枠等）と、室内１０側に位置する額縁部分（見切り材部分）とからなり、この額縁部分が室内露呈部分１１ａ、２１ａをなしている。換言すれば、この上側の室内露呈部分１１ａ、２１ａは、窓開口の室内上側の視認できる境界部をなすものである。なお、上記室内露呈部分１１ａ、２１ａおよび上記突出部位３１の領域（範囲）を、図１において仮想線で示している。
【００２０】
また、図２および図３に示すように、上記内壁構造の内部側においては、上記柱部３の角鋼管部３２が鉛直方向に立設されており、また、その室内側の周囲側には化粧ボード等が設けられている。また、上記角鋼管部３２の屋外側には、外壁パネル５、５が設けられる。これら外壁パネル５、５に上記窓枠１１、２１の上記支持構造部分が設けられている。
【００２１】
そして、上記分断された左右の窓１、２の窓枠１１、２１における上側の室内露呈部分１１ａ、２１ａは、上記突出部位３１によって視覚的に連続させられている。
【００２２】
上記柱部３よりも室内１０側に突出する突出部位３１、および上記分断された左右の窓１、２の窓枠１１、２１の上側の室内露呈部分１１ａ、２１ａは、棒状の見切り部材４により形成されている。この見切り部材４は、断面略四角形の１本の長尺の部材からなり、上記窓枠１１、２１における上記額縁部分の上側の水平部分の前面部をなしつつ上記柱部３の室内側を渡って通るように設けられている。もちろん、上記見切り部材４は、このような断面略四角形には限らないし、また、窓枠１１、２１の額縁部分と一体となった断面略Ｌ字状のものであってもよい。
【００２３】
上記見切り部材４の室内側の面は、上記両窓１、２側から上記室内露呈部分１１ａ、２１ａにかけて面一の面とされている。上記分断された左右の窓１、２の窓枠１１、２１の上側の室内露呈部分１１ａ、２１ａを上記突出部位３１によって視覚的に連続させるために、上記のように面一の面とするのが望ましく、また、上記見切り部材４の色や模様等が長手方向に渡って一様であることが望ましい。もちらん、必ずしもこのような表面上の要素が無くても、上記の視覚的な連続を生じさせることが可能である。また、上記見切り部材４が複数の部材からなり、上記室内露呈部分１１ａ、２１ａと上記突出部位３１とが構造的に連続しない（分断されている）としても、例えば、上記複数の部材の色や模様等を一様にすることで、このような複数の部材からなる見切り部材４でも視覚的に連続させることができる。一方、上記見切り部材４の上側の室内壁と上記柱部３の表面とは、視覚的に連続しないのが望ましく、このために、上記室内壁と上記柱部３の表面とが、異なる色、模様、素材等で形成されているのが望ましい。
【００２４】
上記の構成であれば、上記分断された左右の窓１、２の窓枠１１、２１の上側の室内露呈部分１１ａ、２１ａが、上記突出部位３１によって視覚的に連続させられたので、柱部３によって左右に分断される窓１、２が、室内側から見て、一体の大開口の窓であるかのような印象をだせるようになる。
【００２５】
上記上側の室内露呈部分１１ａ、２１ａおよび上記突出部位３１が見切り部材４により形成されていると、上記左右に分断される窓１、２が一体の大開口の窓であるかのような印象を安価にだせることになる。
【００２６】
上記見切り部材４の室内側の面が、上記両窓１、２側から上記室内露呈部分１１ａ、２１ａにかけて面一となる面であると、上記左右に分断される窓１、２が一体の大開口の窓であるかのような印象をより出しやすいという利点がある。
【００２７】
次に、他の実施形態を図４および図５を参照して説明していく。この実施形態では、上記柱部３の上部および上記窓１、２の上部側にふかし壁６が造られている。このふかし壁６の下側角部位によって、上記柱部３よりも室内１０側に突出する突出部位３１および上記窓枠１１、２１の上側の室内露呈部分１１ａ、２１ａが形成されている。なお、上記室内露呈部分１１ａ、２１ａおよび上記突出部位３１の領域（範囲）を、図４において仮想線で示している。
【００２８】
上記ふかし壁６においては、上階側の梁７の下方において形成された天井部８の下側の箇所に、上側桟木６１や下側桟木６２が固定されており、これら上側桟木６１と下側桟木６２の室内側端面に石こうボード６３が固定されている。また、上記下側桟木６２には、上記窓枠１１、２１の室内上側の室内露呈部分１１ａ、２１ａとなる鴨居６４が設けられている。このようなふかし壁６は、上記窓枠１１、２１における室内側の窓開口の上側部分をなしつつ上記柱部３の室内側を渡って通るように設けられたものとなる。
【００２９】
上記ふかし壁６の下面となる上記鴨居６４には、ルーバー引き戸やカーテン等の建具９の移動を案内するレール部材９１（図４では点線で示している）が設けられている。また、このレール部材９１は、上記分断された左右の窓１、２間で連続するよう設けられている。また、上記ふかし壁６の室内側の面は、上記両窓１、２側から上記室内露呈部分１１ａ、２１ａにかけて面一の面とされている。一方、上記ふかし壁６の表面と上記柱部３の表面とが視覚的に連続しないのが望ましく、このために、上記ふかし壁６の表面と上記柱部４３の表面とが、異なる色、模様、素材等で形成されているのが望ましい。
【００３０】
上記の構成においても、上記分断された左右の窓１、２の窓枠１１、２１の上側の室内露呈部分１１ａ、２１ａが上記突出部位３１によって視覚的に連続させられたので、柱部３によって左右に分断される窓１、２が、室内側から見て、一体の大開口の窓であるかのような印象をだせるようになる。
【００３１】
また、一般的なふかし壁の技法を用いて、柱部３によって左右に分断される窓１、２が一体の大開口の窓であるかのような印象をだすことができ、また、このふかし壁６を用いて建具９を簡単に設置することができる。
【００３２】
以上の実施形態では、窓１、２が上記柱部３によって左右に分断される例を示したが、この発明の内壁構造は、上記柱部３に限らず、左右の窓が小壁によって分断される場合にも適用できるものである。以下の実施形態でも同様である。
【００３３】
次に、他の実施形態の内壁構造を図６および図７に基づいて説明する。この内壁構造では、ふかし壁は設けられておらず、上記窓１、２の窓枠１１、２１の上方に、第２の窓（欄間窓）１０１、１０２が設けられている。
【００３４】
上記第２の窓１０１、１０２は、上記柱部３の上部分（または小壁の上部分）によって左右に分断されている。また、上記柱部３の上部分（または小壁の上部分）よりも室内側に突出する第２の突出部位１３１が上記突出部位３１よりも上側に設けられている。
【００３５】
そして、上記分断された左右の第２の窓１０１、１０２の窓枠１１１、１２１における下側の室内露呈部分１１１ａ、１２１ａが上記第２の突出部位１３１によって視覚的に連続させられている。この例では、上記第２の突出部位１３１および下側の室内露呈部分１１１ａ、１２１ａの室内側への突出量が同じで面一とされている。第２の窓１０１、１０２の窓枠１１１、１２１における下側の室内露呈部分１１１ａ、１２１ａを上記第２の突出部位１３１によって視覚的に連続させるために、上記のように面一の面とするのが望ましく、また、色や模様等が一様であることが望ましい。もちらん、必ずしもこのような表面上の要素が無くても、上記の視覚的な連続を生じさせることが可能である。
【００３６】
また、上記分断された左右の第２の窓１０１、１０２の窓枠１１１、１２１の上側の室内露呈部分１１１ｂ、１２１ｂは、当該第２の窓の窓枠１１１、１２１の横側の室内露呈部分よりも屋外側に位置している。換言すれば、第２の窓１０１、１０２を基準とした窓枠１１１、１２１の上側の室内露呈部分１１１ｂ、１２１ｂの屋内側への突出量は、下側の室内露呈部分１１１ａ、１２１ａの屋内側への突出量少なくされている。
【００３７】
また、室内１０の天井１０５の模様は、上記第２の窓１０１、１０２の屋外側に位置する庇の軒天板１０６の模様と同一となっている。この実施形態では、細長い木板を並べた模様であって、木板間の目地が上記第２の窓１０１、１０２の面に略直交する模様となっている。
【００３８】
上記窓１、２の窓枠１１、２１の上方に第２の窓１０１、１０２が設けられていると、上記窓１、２と第２の窓１０１、１０２とでより大開口の窓空間を形成することができる。
【００３９】
このように、上記第２の窓１０１、１０２が上記柱部３（または小壁）によって左右に分断されており、上記柱部３（または小壁）よりも室内側に突出する第２の突出部位１３１が上記突出部位３１よりも上側に設けられており、上記分断された左右の第２の窓１０１、１０２の窓枠１１１、１２１の下側の室内露呈部分１１１ａ、１２１ａが上記第２の突出部位１３１によって視覚的に連続させられていると、柱部３（または小壁）によって左右に分断される第２の窓１０１、１０２が、室内側から見て、一体の大開口の窓であるかのような印象をだせるようになる。なお、図６に示すように、例えば、上記窓枠１２１の室内壁面側（窓終端側）における横枠部１２１ｃは、上記室内露呈部分１２１ａと面一或いは、上記室内露呈部分１２１ａよりも室内側に突出していてもよい。また、例えば、上記窓枠２１の室内壁面側（窓終端側）における横枠部２１ｂも、上記室内露呈部分２１ａと面一或いは、上記室内露呈部分２１ａよりも室内側に突出していてもよい。さらに、上記窓枠１２１の上記横枠部１２１ｃが、上記窓枠２１の横枠部２１ｂの屋内側端面と面一状に形成されていてもよい。
【００４０】
また、上記窓枠１１１、１２１の上側の室内露呈部分１１１ｂ、１２１ｂが、窓枠１１１、１２１の横側の室内露呈部分よりも屋外側に位置していると、当該内壁構造を有する室内１０の天井１０５と、上記第２の窓１０１、１０２の屋外側に位置する庇の軒天板１０６との分断感が軽減され、大きな天井が存在するかのような印象をだせるようになる。
【００４１】
上記室内１０の天井１０５の模様が、上記第２の窓１０１、１０２の屋外側に位置する庇の軒天板１０６の模様と同一であると、天井１０５から軒天板１０６にかけて同一模様の大きな面が形成されることになり、大きな天井が存在するかのような印象をだせるようになる。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４３】
１      ：窓
２      ：窓
３      ：柱部
４      ：見切り部材
５      ：外壁パネル
６      ：ふかし壁
７      ：梁
８      ：天井部
９      ：建具
１０    ：室内
１１    ：窓枠
１１ａ  ：室内露呈部分
２１    ：窓枠
２１ａ  ：室内露呈部分
３１    ：突出部位
３２    ：角鋼管部
６１    ：上側桟木
６２    ：下側桟木
６３    ：ボード
６４    ：鴨居
９１    ：レール部材
１０１  ：第２の窓
１０２  ：第２の窓
１１１  ：窓枠
１１１ａ：下側の室内露呈部分
１１１ｂ：上側の室内露呈部分
１２１  ：窓枠
１２１ａ：下側の室内露呈部分
１２１ｂ：上側の室内露呈部分
１３１  ：突出部位
【図１】
2017186869.tif 000003
【図２】
2017186869.tif 000004
【図３】
2017186869.tif 000005
【図４】
2017186869.tif 000006
【図５】
2017186869.tif 000007
【図６】
2017186869.tif 000008
【図７】
2017186869.tif 000009
【図８】
2017186869.tif 000010